(57)【特許請求の範囲】
【請求項１】
流体を貯留する貯留槽の流体流入路中に設けられ災害時等において前記流体が貯留槽外に漏出することを防止する流体封鎖装置であって、
前記流体の圧力によって流入路を開閉する開閉バルブを有する第１室と、前記第１室と隣接して位置し前記流体が流通するのみの内部空洞の第２室と、前記第１室および前記第２室に接続され前記流体を前記貯留槽に供給しまたは前記貯留槽から排出する管と、からなる貯留槽密閉室を前記貯留槽内の上部又は下部のいずれか一方の側に備えたことを特徴とする流体封鎖装置。
【請求項２】
前記開閉バルブを、前記流入路を流れる流体の圧力によって変位する副バルブと、該副バルブの変位によって前記流体路を開く主バルブとより構成したことを特徴とする請求項１記載の流体封鎖装置。
【請求項３】
前記副バルブは、前記流入路を流れる流体の圧力によって直線的に動作し、この直線動作力によって主バルブが流入路を開くようにしたことを特徴とする請求項２記載の流体封鎖装置。
【請求項４】
前記副バルブは、前記流入路を流れる流体の圧力によって一点を中心として回動し、この回動力によって主バルブが流入路を開くようにしたことを特徴とする請求項２記載の流体封鎖装置。
【発明の詳細な説明】
【０００１】
【発明の属する技術分野】
本発明は、水、油等の液体あるいはガス等の気体である流体を貯留する貯留槽の流入口と、流出口との間の流入路に設置され、前記貯留槽に貯留された流体を、地震等により前記流入口側が開放あるいは負圧が生じて、あるいは流出口側が開放された場合であっても、貯留槽内の流体が流出しないようにした流体封鎖装置に関する。
【０００２】
【従来の技術】
従来、この種の装置としては、主に、受水槽への給水管や高置水槽に送水する揚水管に設置するものであって使用範囲が限定され、かつ、その機能は水の逆流を止める、いわゆる、一方通行に対応するものであり、受水槽からの水圧、あるいは揚水管への水圧があれば水を通過させるというものである。
【０００３】
【発明が解決しようとする課題】
ところで、前記した従来におけるバルブ装置は、逆流防止機能しかないため、例えば、揚水管による高置水槽への水の供給がなくとも、蛇口をひねることにより、あるいは、給水管側が破損したような場合、前記蛇口を介して、あるいは、給水管から排水が行われ、高置水槽内の水が無くなるまで排水は行われ続ける。
【０００４】
また、高置水槽の揚水管側が破損したような場合、あるいは、揚水管側に負圧が生じた場合には、前記したと同じく揚水管を介して高置水槽内の水は排水されてしまうものであった。
【０００５】
そのため、地震等の災害が生じて高置水槽の水が全て排水されてしまうと、一時的にも水の利用が不能となるため、給水車による給水が行われるまでは水の確保が全く行えなくなる。また、このような災害時には、家屋の倒壊等によって給水車の移動も不可能になることが多く、給水も思うにまかせないといった状態となる。そこで、各地方自治体による非常用の貯水槽の設置が求められるが、設置場所の確保、工事費の高騰等によって、住民全部に十分な供給を行うことはできないというのが現状である。
【０００６】
本発明は前記した問題点を解決せんとするもので、その目的とするところは、貯留槽の給水側あるいは供給側のいずれのパイプが、地震等の災害時に破損しても、貯留槽内の流体が流出することがなく、非常時における貯留槽内の流体を確保することができる流体封鎖装置を提供せんとするにある。
【０００７】
【課題を解決する手段】
本発明は、前記した目的を達成するために、流体を貯留する貯留槽の流体流入路中に設けられ災害時等において前記流体が貯留槽外に漏出することを防止する流体封鎖装置であって、前記流体の圧力によって流入路を開閉する開閉バルブを有する第１室と、前記第１室と隣接して位置し前記流体が流通するのみの内部空洞の第２室と、前記第１室および前記第２室に接続され前記流体を前記貯留槽に供給しまたは前記貯留槽から排出する管と、からなる貯留槽密閉室を前記貯留槽内の上部又は下部のいずれか一方の側に備えたことを特徴とする流体封鎖装置を提供するものである。
【０００８】
また、前記開閉バルブを、前記流入路を流れる流体の圧力によって変位する副バルブと、該副バルブの変位によって前記流体路を開く主バルブとより構成したことを特徴とする。
【０００９】
そして、前記副バルブは、前記流入路を流れる流体の圧力によって直線的に動作し、この直線動作力によって主バルブが流入路を開くようにしたものであってもよく、また、前記副バルブは、前記流入路を流れる流体の圧力によって一点を中心として回動し、この回動力によって主バルブが流入路を開くようにしたものであってもよい。
【００１０】
【発明の実施の形態】
次に、本発明に係る流体封鎖装置の第１の実施の形態を図１、図２と共に説明する。なお、この実施の形態は家庭において水を循環させながら貯留するためのポリタンクに応用した場合である。
１はポリタンクである水タンク１にして、その上部に水が流通し貯留槽密閉室である第１室２１と、同様に水が流通するだけで内空洞の第２室２２とから成る貯留水槽密閉箱２が取付けられている。
【００１１】
この第１室２１の上面には水を使用する蛇口に接続される上部パイプ２１１が、また、第２室２２の上面には水道の元栓側に接続される上部パイプ２２１が設けられ、第１室２１および第２室２２の下面には前記水タンクに接続される下部パイプ２１２、２２２が設けられている。
【００１２】
前記第１室２１内には、下部パイプ２１２に連通すると共に側面が開口し、開閉バルブを構成する副バルブ２３を押し上げるための流入室２１３が形成され、該流入室２１３の上方には遮断壁２１４を介して上部パイプ２１１に連通する流出室２１５が形成されている。
【００１３】
前記遮断壁２１４の上部には開閉バルブを構成する円筒形の主バルブ２４を収容する主バルブ室２１６が形成されていて、主バルブ２４は平常では自重で遮断壁２１４に接触し、流入室２１３と流出室２１５間を遮断している。
【００１４】
しかし、流入室２１３に水が流入すると、その水勢いで副バルブ２３が押し上げられ、その先端で主バルブ２４を押し上げるので、流入室２１３と流出室２１５間に水が流れ、かつ、この時の水勢によってさらに主バルブ２４は押し上げられて主バルブ２４は遮断壁２１４より大きく離れ、従って、バルブは開放された状態となり、流入室２１３から流出室２１５に勢いよく水は流れ込む。
【００１５】
そして、主バルブ室２１６を構成する開口部と主バルブ２４との間は、主バルブ２４が遮断壁２１４に接触している時には、主バルブ２４と前記開口部とは接触状態にあり、主バルブ室２１６内に水が流れ込まないようになっている。
【００１６】
主バルブ室２１６の上部には流出室２１５に連通していない隙間２１７が形成されており、この隙間２１７は側室２１８を通って主バルブ２４の側面の隙間２１９に連続されている。そして、前記のように主バルブ２４が開いた時には主バルブ２４と主バルブ室２１６との間に隙間が生じ、ここから主バルブ室２１６内に水が浸入する。
【００１７】
この主バルブ室２１６内に浸入した水は、前記主バルブ２４の押し上げ時において、主バルブ２４と遮断壁２１４間に生じる隙間を通る水の流速の増大に起因する負圧によって、隙間２１７、側室２１８、隙間２１９を通って吸引されるので、主バルブ２４の上昇の負荷になることがないと共に、主バルブ室２１６内の水は循環するので、主バルブ室２１６内に貯留された水が腐敗することはない。
【００１８】
この実施の形態における貯留閉鎖装置は、流出室２１５に接続されている蛇口を開くと流出室２１５内が負圧になり、水タンク１内の水が流入室２１３に流入し、その勢いで副バルブ２３が押し上げられる。
【００１９】
すると、この押し上げられた副バルブ２３の先端が主バルブ２４を押し上げるために、主バルブ２４と遮断壁２１４間の遮断が開放され、水タンク１内の水は第１室２１の流入室２１３、流出室２１５を通って蛇口に供給される。一方、水道の元栓側に接続されている上部パイプ２２１より水タンク１内に、水道の元栓を介して水が第２室２２を通って補給される。
【００２０】
このようにして、この実施の形態の給水路に設置する流体封鎖装置は蛇口からの排水につれ、水タンク１内に新規に水道水が補給されるので、水タンク１内は常に新鮮な状態に保たれる。
【００２１】
また、地震等の災害が発生し水道の元栓側からの水の供給が行われない場合、あるいは、元栓側が開放された場合には、流入室２１３内に水の流れが生じないので、主バルブ２４の押し上げが行われず、該主バルブ２４が遮断壁２１４と接した状態を保持し、従って、水タンク１内の水が排水されることはない。
【００２２】
さらに、元栓側に負圧が生じた場合であっても、主バルブ２４は遮断壁２１４から離れないため、水の流通が行われず、水の流出が防止され水タンク１内は満水状態が保たれ、このような災害時においても水タンク１内の非常用水を確保できる。なお、水タンク１が傾いた場合でも、主バルブ２４が遮断壁２１４と接触する範囲内の傾きであれば、水タンク１内の水の排水は生じない。
【００２３】
前記の第１の実施の形態は水タンク１の上部に設置したが、図３は高置水槽等の水タンク１の下部内面に設置したものである。この場合には第１室２１の下部パイプ２１２を水道の元栓側に、第２室２２の下部パイプ２２２を蛇口側に接続し、上部パイプ２１１、２２１は水タンク１内に開放されている。
【００２４】
この実施の形態においても、通常時は蛇口を開放すると元栓からの水の流入によって副バルブ２３が上昇して主バルブ２４を押し上げ、閉路を開放して水タンク１内の水を蛇口側に排水する。また、地震等の災害時に元栓からの水の供給が停止した場合、および元栓側が開放された場合に蛇口を開放し、あるいは、元栓側に負圧が生じた場合も、主バルブ２４が押し上げられないため、蛇口への水の流れ、あるいは、元栓側への水の流れは生じない。なお、この状態において、蛇口への水の供給をおこなう場合には、水タンク１内に外気を供給することにより行えることとなる。
【００２５】
なお、前記した実施の形態は、主バルブ２４を開放させるのに、副バルブ２３を上下動することによって行えるようにしたが、図４、図５の如く流入室２１３の上面の遮断壁２１４側を支点として円弧運動して開閉し、これにより、主バルブ２４を押し上げる構造の副バルブ２５であってもよい。また、主バルブ２４は副バルブ２３によって押し上げられる前実施の形態の他、図６に示すような単なる球体であっても、水の流通によって押し上げられ主バルブ２４を開放することができる。
【００２６】
なお、前記した実施の形態は、水タンクに設置した場合について説明したが、その他の液体タンクガスタンクやプロパンガスタンク等のような気体を入れた貯留槽にも設置すれば、前記したと同様な動作により、貯留槽内の液体や気体の漏れを防止することができる。
【００２７】
【発明の効果】
本発明は前記したように、貯留槽の開口部あるいは内部に取付け、該貯留槽への供給管あるいは貯留槽からの流出管が破損された場合や、前記供給管に負圧が生じたとしても、貯留槽内部の流体が漏れることがなく、また、地震等の災害時に多少の傾きが生じてもても液体の流出がなく、従って、前記災害時に水の確保ができ、また、ガス等の気体の漏れによる二次災害も防止できる等の効果を有するものである。
【図面の簡単な説明】
【図１】本発明に係る流体閉鎖装置を示す斜視図である。
【図２】同上の流体閉鎖装置を水タンクに取付けた状態の断面図である。
【図３】同上の他の実施の形態を示す断面図である。
【図４】図１における副バルブの他の実施の形態を示す正面断面図である。
【図５】同上の側面断面図である。
【図６】副バルブを使用しない場合の断面図である。
【符号の説明】
１      水タンク（貯留槽）
２      貯留槽密閉箱
２１    第１室
２２    第２室
２３    副バルブ
２４    主バルブ
【図１】
0003747097.tif 000002
【図２】
0003747097.tif 000003
【図３】
0003747097.tif 000004
【図４】
0003747097.tif 000005
【図５】
0003747097.tif 000006
【図６】
0003747097.tif 000007